(57)【特許請求の範囲】
【請求項１】
野菜、果物等の収納物を貯蔵する野菜室と、前記野菜室内の上部の通気路の一画に設けて前記収納物より発生するガス成分と野菜室外より流入するガス成分を含めた複合ガス成分の還元性ガスにより感知層の表面に吸着した空気中の酸素を減少させ電気抵抗を低下させることによって濃度変化を感知する雰囲気センサーと、前記野菜室内の複合ガス成分を除去するために、低温下でも還元性ガスを吸着、分解する低温活性触媒を冷蔵室内の送風機の吸込み経路中に配置した複合ガス除去手段とよりなり、前記雰囲気センサーからの電気的出力をもとに、野菜室内の収納物の劣化が進行する以前に鮮度劣化の因子となる冷蔵室内の還元性ガスを低減させて未然に鮮度劣化環境の浄化を行うために前記複合ガス除去手段を駆動制御する制御手段を備えたことを特徴とする冷蔵庫。
【請求項２】
制御手段は、複合ガス成分の濃度変化に加えて野菜室内の温度変化を複合した雰囲気センサーの電気的出力をもとに複合ガス除去手段を駆動制御することを特徴とする請求項１に記載の冷蔵庫。
【請求項３】
制御手段は、経時的に計測された雰囲気センサーの出力電圧のピーク値の相対差により複合ガス除去手段を駆動制御することを特徴とする請求項１または請求項２に記載の冷蔵庫。
【請求項４】
野菜室内に温度センサーを備え、雰囲気センサーの出力変化値の判定は前記温度センサーの出力変化を加味して行わせることを特徴とする請求項２または請求項３に記載の冷蔵庫。
【請求項５】
野菜室内に湿度センサーを備え、雰囲気センサーの出力変化値の判定は前記湿度センサーの出力変化を加味して行わせることを特徴とする請求項２から請求項４のいずれか一項に記載の冷蔵庫。
【請求項６】
複合ガス除去手段の駆動状態を表示する表示手段を設けたことを特徴とする請求項１に記載の冷蔵庫。
【発明の詳細な説明】
【０００１】
【発明の属する技術分野】
本発明は、冷蔵庫の庫内に貯蔵された食品の貯蔵環境を管理する冷蔵庫に関するものである。
【０００２】
【従来の技術】
生鮮食料品を典型とする食品の鮮度を管理することは、食品メーカーや外食産業を問わず家庭においても重要である。しかしながら家庭における鮮度管理の方法は、食品メーカーが指定する賞味期限に基づいて日数計算を行い、光沢、色、香り等の各人の主観的な官能評価で腐敗していないかどうかで判断して管理されているのが現状である。
【０００３】
こうした背景の中、食品を貯蔵する冷蔵庫を視野に入れた鮮度管理装置が提案されてきており、その一例として、特許第２８７５１７４号公報に記載されたものが知られている。
【０００４】
以下、図面を参照しながら上記従来の鮮度管理装置を説明する。
【０００５】
図１４は、従来の鮮度管理装置の機能ブロック図である。図１４において、１は鮮度管理装置であり、野菜を貯蔵する貯蔵室２と、貯蔵室２内に備えて野菜から発生するガス成分と濃度を感知して電気信号に変換する感知センサー３と、貯蔵室２内のガス環境を回復、維持させる鮮度維持装置４と、感知センサー３からの電気信号により鮮度維持装置４の制御信号を出力するマイクロプロセッサー５より構成されている。
【０００６】
以上のように構成された鮮度管理装置について、以下その動作を説明する。
【０００７】
使用者が貯蔵室２に野菜を収納すると、野菜は野菜自体より時間経過に従い硫化水素、メチルメルカプタン、ジメチルサルファイド、ジメチルジサルファイド等の硫化合物ガス及び還元性ガスを発生する。このようなガスは感知センサー３の表面の酸素イオンと結合して伝導電子を発生し、これが電子信号としてマイクロプロセッサー５に入力され、そして制御信号が鮮度維持装置４に送られ、鮮度維持装置４の動作を調節し、野菜の鮮度を維持するものである。
【０００８】
【発明が解決しようとする課題】
しかしながら、上記従来の構成では、貯蔵室２内に保存された野菜より発生するガス成分とその濃度が変化する時には、すでに保存された野菜は鮮度劣化が進んでいるため、鮮度劣化が生じる前に鮮度維持装置４を稼動できず、その効果が十分に発揮できないという欠点があった。
【０００９】
また、野菜より発生するガス成分や濃度の変化は、野菜の収納量の違いや野菜を買足した場合など、収納量の変化という鮮度と無関係な因子により影響を受け、保存した野菜自体より発生するガスの濃度変化を感知し鮮度維持装置４を制御する構成では、その影響を除去することができないという欠点があった。
【００１０】
本発明は従来の課題を解決するもので、野菜の鮮度が低下する前に、事前に貯蔵環境を改善して鮮度を維持させる冷蔵庫を提供することを目的としている。
【００１１】
【課題を解決するための手段】
この目的を達成するため本発明は、野菜室内に設けて収納物より発生するガス成分と室外より流入するガス成分を含めた複合ガス成分の濃度変化を感知する雰囲気センサーからの電気的出力をもとに、野菜室内の複合ガス成分を除去する複合ガス除去手段を駆動制御するのである。
【００１２】
これにより、野菜、果物など野菜室内の収納物の鮮度が低下する前に、事前に鮮度劣化の要因となる収納物自身からのガス成分と野菜室外から流入するガス成分の双方を除去することができ、収納物自身からのガス成分のみに依存せず精度よく収納物の鮮度劣化を抑制して鮮度維持効果を高めることができる。
【００１３】
【発明の実施の形態】
本発明の請求項１に記載の発明は、野菜、果物等の収納物を貯蔵する野菜室と、前記野菜室内の上部の通気路の一画に設けて前記収納物より発生するガス成分と野菜室外より流入するガス成分を含めた複合ガス成分の還元性ガスにより感知層の表面に吸着した空気中の酸素を減少させ電気抵抗を低下させることによって濃度変化を感知する雰囲気センサーと、前記野菜室内の複合ガス成分を除去するために、低温下でも還元性ガスを吸着、分解する低温活性触媒を冷蔵室内の送風機の吸込み経路中に配置した複合ガス除去手段とよりなり、前記雰囲気センサーからの電気的出力をもとに、野菜室内の収納物の劣化が進行する以前に鮮度劣化の因子となる冷蔵室内の還元性ガスを低減させて未然に鮮度劣化環境の浄化を行うために前記複合ガス除去手段を駆動制御する制御手段を備えたものであり、野菜、果物など野菜室内の収納物の鮮度が低下する前に、鮮度劣化の要因となる収納物自体からのガス成分と野菜室外から流入するガス成分の双方の濃度状態を監視して、複合ガス除去手段を駆動させることにより収納物の鮮度劣化を未然に抑制する。
【００２０】
請求項２に記載の発明は、請求項１に記載の発明において、制御手段は、複合ガス成分の濃度変化に加えて野菜室内の温度変化を複合した雰囲気センサーの電気的出力をもとに複合ガス除去手段を駆動制御するものであり、収納物の鮮度維持に影響を与えるガス環境以外の温度環境の影響も踏まえて判定が行え、一層精度の高い鮮度管理が可能となる。
【００２１】
請求項３に記載の発明は、請求項１または請求項２に記載の発明において、制御手段は、経時的に計測された雰囲気センサーの出力電圧のピーク値の相対差により複合ガス除去手段を駆動制御するものであり、複合ガス除去手段を駆動する最適な時期を精度よく設定することができる。
【００２２】
請求項４に記載の発明は、請求項２または請求項３に記載の発明に、さらに、野菜室内に温度センサーを備え、雰囲気センサーの出力変化値の判定は前記温度センサーの出力変化を加味して行わせるものであり、扉開閉や野菜出し入れ時の温度変動による誤検知を防止し、複合ガス除去手段を駆動する時期の精度を高めることができる。
【００２３】
請求項５に記載の発明は、請求項２から請求項４のいずれか一項に記載の発明に、さらに、野菜室内に湿度センサーを備え、雰囲気センサーの出力変化値の判定は前記湿度センサーの出力変化を加味して行わせるものであり、扉開閉や収納物の収納時の湿度変動による誤検知を防止し、複合ガス除去手段を駆動する時期の精度を高めることができる。
【００２５】
請求項６に記載の発明は、請求項１に記載の発明に、さらに、複合ガス除去手段の駆動状態を表示する表示手段を設けたものであり、複合ガス除去手段の駆動状態が一目でわかり、使用者に機能が稼動しているという安心感を与え、鮮度維持機能のアピール効果を高めることができる。
【００２６】
【実施例】
（実施例１）
図１は、本発明の実施例１による冷蔵庫の断面図ある。図２は、同実施例の冷蔵庫の雰囲気センサーを表面から見た斜視図である。図３は同実施例の冷蔵庫の雰囲気センサーを裏面から見た斜視図である。図４は、同実施例の冷蔵庫の要部を示す機能ブロック図である。図５は、同実施例の冷蔵庫の雰囲気センサーの出力電圧特性図である。
【００２７】
図１から図３において、６は冷蔵庫本体であり、断熱仕切壁７によって上部に上部貯蔵区画８、下部に下部貯蔵区画９を区画形成している。１０は上部貯蔵区画８内を上下に仕切る仕切板であり、上部に冷蔵室１１、下部に野菜、果物などを貯蔵する野菜室１２を区画形成している。１３は冷蔵室１１の前面開口部に取り付けたヒンジ式の扉、１４は野菜室１２の前面開口部に取り付けて収納容器１５を一体に引き出す引き出し式の扉である。
【００２８】
１６は冷蔵庫本体６の下部後方に設けた冷凍サイクルの圧縮機、１７は上部貯蔵区画８内に設けた第１の冷却器、１８は第１の冷却器１７で生じた冷気を強制通風する第１の送風機、１９は下部貯蔵区画９内に設けた第２の冷却器、２０は第２の冷却器１９で生じた冷気を強制通風する第２の送風機である。
【００２９】
また、２１は仕切板１０の前方に形成した野菜室１２への給気口、２２は仕切板１０の後方に形成した野菜室１２からの排気口であり、２３は野菜室１２内において給気口２１から排気口２２に通じる通気路である。２４は野菜室１２内の上部において通気路２３中に配置された雰囲気センサーである。
【００３０】
雰囲気センサー２４は、表面を基板２５の表面上に形成した電極２６と、電極２６上に形成した感知層２７により構成し、裏面には面状のヒーター２８を設けている。
【００３１】
感知層２７は例えば酸化錫を主体とした材料を焼結して形成され、エチレン、アルコール系、アルデヒド系ガスなどを主体とした還元性ガスが感知層２７の表面に吸着した空気中の酸素を減少させ、電気抵抗を低下させることによって還元性ガスの濃度変化を検出するよう構成されている。
【００３２】
また、２９は冷蔵室１１内の第１の送風機１８の吸込み経路中に配置された低温活性触媒である。低温活性触媒２９はアルミナ、シリカ、ゼオライトなどの担体に二酸化マンガン、マグネシウムなどを担持して冷蔵庫などの低温下でも還元性ガスを吸着、分解するよう構成されている。
【００３３】
図４において、３０はマイクロコンピューターからなる制御手段であり、入力側にエチレン、アルコール系、アルデヒド系などの複合ガスの濃度および温度変化により電気抵抗を変化する雰囲気センサー２４からの電気信号が入力され、出力側には回転数可変手段３１と第１の送風機１８からなる複合ガス除去手段３２と表示手段３３が接続されている。
【００３４】
複合ガス除去手段３２は制御手段３０からの信号に基づいて第１の送風機１８の回転数を回転数可変手段３１で増大させ、野菜室１２内の換気を促進するよう構成されている。また、表示手段３３は液晶パネルなどで構成されて冷蔵室の扉１３の表面に取り付けられ、複合ガス除去手段３２の駆動状況を使用者に報らしめる。
【００３５】
以上のように構成された冷蔵庫について、以下その動作を図５の雰囲気センサー２４の出力電圧の変化を示す特性図に基づいて説明する。
【００３６】
まず、安定時においては、野菜室１２の収納容器１５内に収納された野菜、果物などの収納物から発生するガスや、冷蔵室１１内に収納された雑多な食品から発生するガスが第１の送風機１８の強制対流作用によって野菜室１２内に循環されることによって野菜室１２内はエチレン、エタノール、アセトアルデヒドなどの還元性ガスが存在している。
【００３７】
そして、圧縮機１６のＯＮ／ＯＦＦや、野菜室，冷蔵室の扉１４，１３の開閉による外気の侵入や、第１の冷却器１７の除霜による温度変動で雰囲気センサー２４の出力電圧は温度の上昇時にピークを持った波形を繰り返しながら、その時点の還元性ガスの濃度に応じたレベルで推移している。
【００３８】
次に、ｘ時点において、たとえば野菜室１２内にリンゴ，バナナなどの果物を多めに収納したり、冷蔵室１１内に料理用の酒やワイン，酢や発酵調味料などを使った惣菜類を多めに収納したりすると、野菜室１２内には収納容器１５内から直接的に、また冷蔵室１１内からは第１の送風機１８による強制循環によって間接的に野菜室１２内の収納物の鮮度を劣化させるエチレン、エタノール、アセトアルデヒドなどの還元性ガスが充満する。
【００３９】
このため、雰囲気センサー２４の感知層２７を形成する酸化錫の表面に吸着した空気中の酸素が上述した還元性ガスによって減少し、雰囲気センサー２４の電気抵抗を低下させ出力電圧が増加した還元ガスの濃度に応じて上昇する。
【００４０】
そして、上昇後の出力電圧は安定時と同様に上述の種々の温度変動要因に合わせて温度上昇のピークを繰り返した波形で推移する。
【００４１】
そこで、雰囲気センサー２４の出力電圧上昇直前の安定時のピークａ時点と出力電圧上昇直後のピークｂ時点の出力電圧上昇幅ｙの大きさが予め定めた所定の出力電圧上昇幅より大きければ、制御手段３０が還元性ガス濃度が高く、雰囲気温度も高くなって野菜室１２内に収納された収納物の鮮度を劣化させる環境になっていると判断し、複合ガス除去手段３２を駆動させ第１の送風機１８の回転数を高めて野菜室１２内の空気対流を促進して滞留している還元性ガスを室外に排出する。
【００４２】
一方、複合ガス除去手段３２の駆動と同時に制御手段３０から表示手段に表示情報が送られ、液晶パネルに例えばイメージ図やアニメーションなどによって複合ガス除去手段３２が動作中であり、野菜室１２内のクリーン化を実施中であることを使用者に目視で認識させる。
【００４３】
そして、野菜室１２内から排出された還元性ガスは冷蔵室１１内に帰還し低温活性触媒２９に吸着されて酸化分解される。このため、野菜室１２内の収納物の鮮度を劣化させる還元性ガス濃度が低下し、雰囲気センサー２４の感知層２７の酸化錫表面の酸素吸着量が再び増加して出力電圧が低下する。そして予め定めた所定の出力電圧以下に低下すると、制御手段３０が還元性ガス濃度が低く、野菜室１２内に収納された収納物の鮮度を劣化させる環境が解除されたと判断し、複合ガス除去手段３２の駆動、即ち第１の送風機１８の高回転数運転状態を解除する。
【００４４】
なお、複合ガス除去手段３２の駆動解除は駆動後、所定時間経過後には一旦停止させるなど時間的な保護制御を入れることもシステムの安定性確保の面から有効である。
【００４５】
また、同時に表示手段３３における複合ガス除去手段３２の動作表示も終了させ、野菜室１２内のクリーン化が終了したことを使用者に認識させる。
【００４６】
以上、これらのことにより本実施例によると、従来例のように野菜室１２の収納物自体からその鮮度の劣化の進行に伴い発生する硫化合物ガス及び還元性ガスなどの濃度を検知して鮮度維持装置を駆動させるものとは異なり、野菜室１２内の収納物の劣化が進行する以前に鮮度劣化の因子となる還元性ガスを低減させて未然に鮮度劣化環境の浄化を行うものであり、野菜室１２内の収納物の鮮度維持効果が高められ、鮮度維持期間を延長することができる。このため、使用者にとって経済的な食材貯蔵管理が行える。
【００４７】
また、冷蔵室１１内に収納した収納物から発生するアルコール系、アルデヒド系などの鮮度劣化ガス成分の影響やガス以外の温度上昇の影響を含めた判定が可能となり、総合的な環境因子に対して鮮度管理の精度を高めることができる。
【００４８】
また、複合ガス除去手段３２の駆動や停止の判定を経時的に計測された雰囲気センサー２４の出力電圧の絶対値による判定とすれば、たとえば野菜室１２内に収納物が少ない場合に検知レベルに到達しにくく必要な場合にもシステムが作動しないことが考えられるが、本実施例のように出力電圧のピーク値の相対差をもって判定することにより、収納物の量によらず複合ガス除去手段３２を最適な時期に精度よく駆動させることができる。
【００４９】
また、揮発性が高く比重の小さい還元性ガスの検知をよりよくするために雰囲気センサー２４は野菜室１２内の天面付近に設けられ、且つ、野菜室１２内を対流する通気路中に配置することによって対象ガスを効率よく感知することができる。雰囲気センサー２４を野菜室１２の天面の構成体より若干下方に突出させればなお検知精度が高まる。
【００５０】
さらに、複合ガス除去手段３２の駆動状態を表示する表示手段３３を設けたので、野菜室１２内のクリーン化の作動状態が一目でわかり、使用者に機能が稼動しているという安心感を与え、鮮度維持機能のアピール効果を高めることができる。また、その作動状況をもって使用者に対して冷蔵庫内への収納物や温度上昇を伴う使い方への警鐘とすることもでき、正しい使い方を啓蒙して冷蔵庫の機能価値をより一層高めることができる。
【００５１】
（実施例２）
図６は、本発明の実施例２による冷蔵庫の断面図ある。図７は、同実施例による冷蔵庫の要部を示す機能ブロック図である。図６、図７において、３４は野菜室１２内の一画に設けられた温度センサーであり、制御手段３０に野菜室１２内の温度情報を入力するよう構成され、たとえば温度センサー３４の温度上昇度が所定値以上に急峻であるときには一時的な温度上昇と見なして、雰囲気センサー２４の出力電圧が所定値以上に上昇しても複合ガス除去手段３２をすぐには駆動させず待機状態とし、所定時間後の経過により再度判定するように構成されている。
【００５２】
以上のような構成において、鮮度劣化ガスの濃度が問題になるレベルでないのに、野菜室の扉１４の開放や冷却されていない新たな収納物の投入などで一時的に雰囲気センサー２４のピークが急峻に立ち上がっても、制御手段３０はこれを一時的な温度影響と判断して複合ガス除去手段３２を駆動させることはなく、温度変動による誤検知を防止して、複合ガス除去手段３２の駆動精度を高めることができる。
【００５３】
（実施例３）
図８は、本発明の実施例３による冷蔵庫の断面図ある。図９は、同実施例による冷蔵庫の要部を示す機能ブロック図である。図８、図９において、３５は野菜室１２内の一画に設けられた湿度センサーであり、制御手段３０に野菜室１２内の湿度情報を入力するよう構成され、たとえば湿度センサー３５の湿度上昇度が所定値以上に急峻であるときには一時的な湿度上昇と見なして、雰囲気センサー２４の出力電圧が所定値以上に上昇しても複合ガス除去手段３２をすぐには駆動させず待機状態とし、所定時間後の経過により再度判定するように構成されている。
【００５４】
以上のような構成において、鮮度劣化ガスの濃度が問題になるレベルでないのに、野菜室の扉１４の開放や水分蒸散の多い新たな収納物の投入などで一時的に雰囲気センサー２４のピークが急峻に立ち上がっても、制御手段３０はこれを一時的な湿度影響と判断して複合ガス除去手段３２を駆動させることはなく、湿度変動による誤検知を防止して、複合ガス除去手段３２の駆動精度を高めることができる。
【００５５】
（実施例４）
図１０は、本発明の実施例４による冷蔵庫の断面図ある。図１１は、同実施例による冷蔵庫の要部を示す機能ブロック図である。図１０、図１１において、３６は冷蔵室１１内の第１の送風機１８の吸込み経路中に配置された例えば酸化チタンからなる光触媒であり、３７は光触媒３６の近傍に設けられて光触媒３６に紫外線波長を含んだ光を照射するたとえば蛍光ランプなどの光照射手段である。光照射手段３７は制御手段３０の出力信号に基づいて作動するよう構成されている。
【００５６】
以上のような構成において、複合ガス除去手段３２の駆動によって野菜室１２内から排出された還元性ガスは冷蔵室１１内に帰還し、光触媒３６の触媒層に吸着される。そして、適時光照射手段３７の光が照射されて光触媒３６に紫外線が届くと触媒層が活性化して、吸着されたエチレン、エタノール、アセトアルデヒドなどの還元性ガス成分を水や二酸化炭素などの無害成分に酸化分解する。このため、野菜室１２内の収納物の鮮度を劣化させる還元性ガス濃度を低下させることができる。
【００５７】
また、鮮度劣化ガスの分解動作時に光照射手段３７が発光することにより、使用者にクリーン化動作中であることを訴求することができ、使用者に対する安心感や商品としての機能訴求力を高めることができる。
【００５８】
なお、光触媒３６は送風機１８の吸込み経路中にハニカム状に成形された成形物としても、吸込み経路を形成するダクトなどの構造体に面積を拡げて塗布加工してもよい。また、光照射手段３７は冷蔵室１１内の照明手段と共用化させても合理的であり、経済的な構成となる。
【００５９】
（実施例５）
図１２は、本発明の実施例５による冷蔵庫の断面図ある。図１３は、同実施例による冷蔵庫の要部を示す機能ブロック図である。図１２、図１３において、３８は野菜室１２内の上部に配置された例えば酸化チタンからなる光触媒であり、３９は光触媒３８の近傍に設けられて光触媒３８に紫外線波長を含んだ光を照射するたとえば紫外線ランプなどの光照射手段である。そして、光触媒３８と光照射手段３９によって複合ガス除去手段４０が構成されている。複合ガス除去手段４０は制御手段３０の出力信号に基づいて作動するよう構成されている。
【００６０】
以上のような構成において、雰囲気センサー２４の出力電圧の上昇値が所定値以上となって制御手段３０により複合ガス除去手段４０の作動指令が発せられると光照射手段３９の紫外線が光触媒３８に照射され、光触媒３８の触媒層に吸着されていた野菜室１２内の還元性ガスが酸化分解される。このため、野菜室１２内の収納物の鮮度を劣化させる還元性ガス濃度をより直接的に低下させることができ、鮮度劣化環境を確実に浄化することができる。
【００６１】
【発明の効果】
以上説明したように請求項１に記載の発明は、野菜、果物等の収納物を貯蔵する野菜室と、前記野菜室内の上部の通気路の一画に設けて前記収納物より発生するガス成分と野菜室外より流入するガス成分を含めた複合ガス成分の還元性ガスにより感知層の表面に吸着した空気中の酸素を減少させ電気抵抗を低下させることによって濃度変化を感知する雰囲気センサーと、前記野菜室内の複合ガス成分を除去するために、低温下でも還元性ガスを吸着、分解する低温活性触媒を冷蔵室内の送風機の吸込み経路中に配置した複合ガス除去手段とよりなり、前記雰囲気センサーからの電気的出力をもとに、野菜室内の収納物の劣化が進行する以前に鮮度劣化の因子となる冷蔵室内の還元性ガスを低減させて未然に鮮度劣化環境の浄化を行うために前記複合ガス除去手段を駆動制御する制御手段を備えたので、野菜、果物など野菜室内の収納物の鮮度が低下する前に、収納物自身からのガス成分以外に鮮度劣化の要因となる室外流入ガス成分の双方の濃度をもとに複合ガス除去手段を駆動させて収納物の鮮度劣化を未然に抑制し、鮮度維持期間を延長することができる。
【００６８】
また、請求項２に記載の発明は、請求項１に記載の発明において、制御手段は、複合ガス成分の濃度変化に加えて野菜室内の温度変化を複合した雰囲気センサーの電気的出力をもとに複合ガス除去手段を駆動制御するので、収納物の鮮度維持に影響を与えるガス環境以外の温度環境の影響も踏まえて判定が行え、一層精度の高い鮮度管理が可能となる。
【００６９】
また、請求項３に記載の発明は、請求項１または請求項２に記載の発明において、制御手段は、経時的に計測された雰囲気センサーの出力電圧のピーク値の相対差により複合ガス除去手段を駆動制御するので、野菜室内の収納条件によらず複合ガス除去手段を駆動する最適な時期を精度よく設定することができる。
【００７０】
また、請求項４に記載の発明は、請求項２または請求項３に記載の発明に、さらに、野菜室内に温度センサーを備え、雰囲気センサーの出力変化値の判定は前記温度センサーの出力変化を加味して行わせるので、扉開閉や野菜出し入れ時の温度変動による誤検知を防止し、複合ガス除去手段を駆動する時期の精度を高めることができる。
【００７１】
また、請求項５に記載の発明は、請求項２から請求項４のいずれか一項に記載の発明に、さらに、野菜室内に湿度センサーを備え、雰囲気センサーの出力変化値の判定は前記湿度センサーの出力変化を加味して行わせるので、扉開閉や収納物の収納時の湿度変動による誤検知を防止し、複合ガス除去手段を駆動する時期の精度を高めることができる。
【００７３】
また、請求項６に記載の発明は、請求項１に記載の発明に、さらに、複合ガス除去手段の駆動状態を表示する表示手段を設けたものであり、複合ガス除去手段の駆動状態が一目でわかり、使用者に機能が稼動しているという安心感を与え、鮮度維持機能のアピール効果を高めることができる。
【図面の簡単な説明】
【図１】本発明による冷蔵庫の実施例１の断面図
【図２】同実施例の冷蔵庫の雰囲気センサーの表面斜視図
【図３】同実施例の冷蔵庫の雰囲気センサーの裏面斜視図
【図４】同実施例の冷蔵庫の機能ブロック図
【図５】同実施例の冷蔵庫の雰囲気センサーの特性図
【図６】本発明による冷蔵庫の実施例２の断面図
【図７】同実施例の冷蔵庫の機能ブロック図
【図８】本発明による冷蔵庫の実施例３の断面図
【図９】同実施例の冷蔵庫の機能ブロック図
【図１０】本発明による冷蔵庫の実施例４の断面図
【図１１】同実施例の冷蔵庫の機能ブロック図
【図１２】本発明による冷蔵庫の実施例５の断面図
【図１３】同実施例の冷蔵庫の機能ブロック図
【図１４】従来の鮮度管理装置の機能ブロック図
【符号の説明】
１１  冷蔵室（貯蔵室）
１２  野菜室
２３  通気路
２４  雰囲気センサー
２９  触媒
３０  制御手段
３２  複合ガス除去手段
３３  表示手段
３４  温度センサー
３５  湿度センサー
３６  光触媒
３７  光照射手段
３８  光触媒
３９  光照射手段
４０  複合ガス除去手段
【図１】
0003621856.tif 000002
【図２】
0003621856.tif 000003
【図３】
0003621856.tif 000004
【図４】
0003621856.tif 000005
【図５】
0003621856.tif 000006
【図６】
0003621856.tif 000007
【図７】
0003621856.tif 000008
【図８】
0003621856.tif 000009
【図９】
0003621856.tif 000010
【図１０】
0003621856.tif 000011
【図１１】
0003621856.tif 000012
【図１２】
0003621856.tif 000013
【図１３】
0003621856.tif 000014
【図１４】
0003621856.tif 000015